(57)【要約】【課題】  カーテンをリサイクルする際にウェイトを取り外すことなく、カーテン生地と共にリサイクル可能なカーテン用ウェイトを提供する。【解決手段】  合成樹脂製部材２が布３に包まれた合成樹脂製カーテン用ウェイト１とする。合成樹脂製部材２はＰＥＴ（ポリエチレンテレフタレート）などのポリエステル系樹脂、アクリル系樹脂などが好適に使用できる。特に、カーテン生地とウェイト１の材質を同質とすることで、よりリサイクル性を向上できるものである。例えば、カーテン生地がポリエステル製であれば、ウェイトの部材をＰＥＴ樹脂などにすればよく、カーテン生地がアクリル製であれば、ウェイトの部材をポリアミド樹脂などにすればよい。【選択図】  図１
2006141730.tif 000002
【特許請求の範囲】
【請求項１】
合成樹脂製部材からなる合成樹脂製カーテン用ウェイト。
【請求項２】
合成樹脂製部材が布に包まれた合成樹脂製カーテン用ウェイト。
【請求項３】
複数の合成樹脂製部材が間隔をおいてスリーブ紐の内部に配置された合成樹脂製カーテン用ウェイト。
【請求項４】
請求項１又は２に記載のカーテン用ウェイトが少なくとも下隅部に取り付けられたカーテン。
【請求項５】
請求項３に記載のカーテン用ウェイトが裾部に取り付けられたカーテン。
【請求項６】
カーテン生地が合成繊維製であって、前記合成樹脂部材の材質と同質である請求項４又は５に記載のカーテン。
【発明の詳細な説明】
【技術分野】
【０００１】
本発明は、カーテンの裾部に取り付けられるカーテン用ウェイトに関し、より詳しくは、ウェイト本体を合成樹脂製としてリサイクル性を向上させたカーテン用ウェイトに関する。
【背景技術】
【０００２】
従来から、閉じた状態でのカーテンの見栄えをよくするために、鉛、鉄やステンレスなどの金属製の板状部材を不織布などの布で包まれたカーテン用ウェイトをカーテンの隅部に取り付けられていることがある。あるいは、金属製の円柱状部材が間隔をおいてスリーブ紐の内部に配置されたカーテン用ウェイトがカーテンの裾部に沿うように取り付けられることもある。
【０００３】
ウェイトの重みによりカーテンの揺れを抑えると共に、カーテンを波打った状態にすることができ、閉じた状態でのカーテンの見栄えがよくなる。例えば、従来のカーテン用ウェイトとしては、特許文献１に開示されたカーテン用ウェイトがある。
【特許文献１】特開２００３−２４５１９３号公報。
【発明の開示】
【発明が解決しようとする課題】
【０００４】
近年、循環型社会に対応すべく、カーテンをリサイクルする必要性が益々高まっている。しかしながら、かかる従来のウェイトは金属製であるため、カーテンをリサイクルする際にウェイトを取り外す必要が生じ、作業工程が煩雑となる問題があった。
【０００５】
従って、本発明の目的は、カーテンをリサイクルする際にウェイトを取り外すことなく、カーテンと共にリサイクル可能なカーテン用ウェイトを提供することにある。
【課題を解決するための手段】
【０００６】
上記課題を解決するために、鋭意研究を重ねた結果、請求項１の発明は、合成樹脂製部材からなる合成樹脂製カーテン用ウェイトとした。
【０００７】
また、請求項２の発明は、合成樹脂製部材が布に包まれた合成樹脂製カーテン用ウェイトとした。
【０００８】
従来ウェイトに使用されてきた金属製の板状部材の代わりに合成樹脂製部材を使用することで、カーテンと共にリサイクル可能なカーテン用ウェイトが実現できる。合成樹脂の材料は特に限定されないが、ＰＥＴ（ポリエチレンテレフタレート）などのポリエステル系樹脂、アクリル系樹脂などが好適に使用できる。
【０００９】
合成樹脂部材からなるカーテン用ウェイトの場合、カーテンの下隅部の縫製時に、カーテン生地を三つ折りや二つ折りした部分に挿入して取り付けられる。合成樹脂製部材が布に包まれたカーテン用ウェイトの場合、同様にカーテンの下隅部に取り付けられるが、布をカーテン生地と縫製することにより、ウェイトが動くことなく固定される。
【００１０】
請求項３の発明は、複数の合成樹脂製部材が間隔をおいてスリーブ紐の内部に配置された合成樹脂製カーテン用ウェイトとした。
【００１１】
同様に、スリーブ紐の内部に複数の部材が間隔をおいて配置されたウェイトにおいて、円柱状の金属製部材の代わりに、合成樹脂製部材を使用することで、カーテンと共にリサイクル可能なカーテン用ウェイトが実現できる。
【００１２】
請求項１乃至３に係る発明では、合成樹脂の材料は特に限定されないが、ＰＥＴ（ポリエチレンテレフタレート）などのポリエステル系樹脂、ポリアクリルニトリルなどのアクリル系樹脂などが好適に使用できる。また、ウェイトに使用される布やスリーブ紐をも合成繊維製とすることで、更にリサイクル性を向上させることができる。
【００１３】
請求項４の発明は、請求項１又は２に記載のカーテン用ウェイトが少なくとも下隅部に取り付けられたカーテンとした。
【００１４】
請求項５の発明は、請求項３に記載のカーテン用ウェイトが裾部に取り付けられたカーテンとした。
【００１５】
請求項４又は５に係る発明では、上記のカーテン用ウェイトが取り付けられている。その結果、カーテンを閉じたときにカーテンの波打ちが維持され見栄えのよい状態が維持できる。しかも、リサイクルする際に、カーテンからウェイトを取り外す必要がない。
【００１６】
請求項６の発明は、カーテン生地が合成繊維製であって、前記合成樹脂部材の材質と同質である請求項４又は５に記載のカーテンとした。
【００１７】
特に、カーテン生地と合成樹脂部材の材質を同質とすることで、よりリサイクル性を向上できるものである。例えば、カーテン生地がポリエステル繊維製であれば、ウェイトの合成樹脂部材をＰＥＴ樹脂などにすればよく、カーテン生地がアクリル製であれば、ウェイトの合成樹脂部材をポリアミド樹脂などにすればよい。
【発明の効果】
【００１８】
以上述べたように、本発明のカーテン用ウェイトは合成樹脂製であるので、カーテンから取り外すことなくリサイクル可能となる。その結果、リサイクル時の作業工程を簡略化することができる。
【発明を実施するための最良の形態】
【００１９】
以下、図面を用いて本発明の実施形態を説明する。図１は本発明に係るカーテン用ウェイトの実施形態を示す概略図である。図１（ａ）は合成樹脂部材を、図１（ｂ）は合成樹脂部材が布に包まれたカーテン用ウェイトの全体を示す。２はウェイトに使用される合成樹脂部材で、略長方形の板状である。取り付け時の挿入が容易になるように角部２ａが丸められている。
【００２０】
合成樹脂部材２だけでもカーテン用ウェイトとして機能する。カーテンの下隅部の三つ折り部や二つ折り部に合成樹脂部材２を挿入すればよい。この場合、挿入を容易にするために、合成樹脂部材２の厚さをテーパー状に変化させてもよい。
【００２１】
更に、カーテン開閉時における、ウェイトの動きを抑えるために、合成樹脂部材２を布で包み、該布をカーテンの下隅部の三つ折り部に縫い付けるほうがより好ましい。
【００２２】
すなわち、図１（ｂ）に示すように、布３で合成樹脂部材２を包み、合成樹脂部材２を囲む３辺（図中、斜線で示す部分）を閉じた構成とすることが好ましい。耳部３ａをカーテンと一緒に縫製することでカーテン用ウェイト１が固定される。布３の材質は特に限定されないが、ＰＥＴなどの熱溶着可能な不織布であれば、縫製することなく熱溶着で合成樹脂部材２を封止することができる。
【００２３】
なお、図１（ｃ）に示すＡ−Ａ断面図のように、耳部３ａが合成樹脂部材２のいずれかの面と同一面を形成するように包むことが好ましい。カーテンの表面にウェイトに突起が形成されなくなり見栄えがよくなる。
【００２４】
また、合成樹脂製部材２の形状は、略長方形の板状の他、円柱状や角柱状などの形状であってもよい。また、合成樹脂であるため、意匠性を持たせた形状に容易に加工することもできる。ウェイト１の重さは６ｇ以上あればよい。
【００２５】
図２は、本発明に係るカーテン用ウェイトの他の実施形態を示す概略図である。複数の合成樹脂製部材１２が間隔をおいてスリーブ紐１３の内部に配置された合成樹脂製カーテン用ウェイト１で、カーテンの裾部に沿って取り付けられる。スリーブ紐１３は複数の糸で組まれた紐であり、伸びると紐が収縮するのでくびれ部１３ａが形成され、合成樹脂製部材１２が間隔をおいてスリーブ紐１３の内部に固定される。合成樹脂製部材１２は円柱状の他、球状や楕円球状であってもよい。
【００２６】
以上述べた２つの実施形態において、合成樹脂製部材２、１２の材質は特に限定されないが、リサイクル性を考慮すれば、ＰＥＴに代表されるポリエステル系樹脂が好ましい。また、布３やスリーブ紐１３もポリエステル系の繊維であればより好ましい
【００２７】
次に、本発明係るカーテン用ウェイトが取り付けられたカーテンについて説明する。図３（ａ）では、カーテン２０の裾部２０ａが三つ折りされ、糸３０で縫製されている。更に、図３（ｂ）で、カーテン２０が縦方向に折られ糸３０により縫製されるが、ウェイト１を挟むと共に、耳部３ａを同時に縫うことで、ウェイト１が固定される。
【００２８】
別の方法では、図３（ｃ）で、カーテン２０が縦方向に折られ糸３０により縫製されるが、ウェイト１を挟むと共に耳部３ａを同時に縫う。次に、図３（ｄ）で、カーテン２０の裾部２０ａが三つ折りされ、糸３０で縫製され、ウェイト１が固定される。
【００２９】
図４はカーテン用ウェイト１１をカーテン２０に取り付けた様子を示す図である。カーテン用ウェイト１１は、カーテン２０の裾部２０ａに糸３０で縫い付けられている。図では、オーバーロック縫いで縫い付けられているが、他の縫い付け方法でも構わない。
【００３０】
このように、カーテン２０の生地と合成樹脂部材２、１２の材質を同質とすることで、よりリサイクル性を向上できるものである。例えば、カーテン２０の生地がポリエステル繊維製であれば、ウェイト１、１１の合成樹脂部材２、１２をＰＥＴ樹脂などにすればよく、カーテン２０の生地がアクリル製であれば、ウェイト１、１１の合成樹脂部材２、１２をポリアミド樹脂などにすればよい。
【図面の簡単な説明】
【００３１】
【図１】（ａ）は合成樹脂部材を、（ｂ）は合成樹脂部材が布に包まれたカーテン用ウェイトの全体を示す。（ｃ）は（ｂ）のＡ−Ａ断面図である。
【図２】本発明に係るカーテン用ウェイトの他の実施形態を示す概略図である。
【図３】（ａ）〜（ｄ）は本発明に係るカーテン用ウェイトを取り付けた様子を示す図である。
【図４】図２に示したカーテン用ウェイトを取り付けた様子を示す図である。
【符号の説明】
【００３２】
１、１１        カーテン用ウェイト
２、１２        合成樹脂部材
３              布
１３            スリーブ紐
２０            カーテン
【図１】
2006141730.tif 000003
【図２】
2006141730.tif 000004
【図３】
2006141730.tif 000005
【図４】
2006141730.tif 000006